【手続補正書】
【提出日】平成27年7月14日(2015.7.14)
【手続補正１】
【補正対象書類名】特許請求の範囲
【補正対象項目名】全文
【補正方法】変更
【補正の内容】
【特許請求の範囲】
【請求項１】
被写体像のカラーを構成するn個（n≧２）の色成分の一つである特定色において、前記被写体像を捉える複数の視点の一つである第１視点に対応する第１視点カラー画像データから、対象画素位置における前記第１視点カラー画像データの前記特定色の画素値を抽出する第１視点画素値抽出部と、
前記第１視点とは異なる第２視点および第３視点に対応する第２視点カラー画像データおよび第３視点カラー画像データから、前記対象画素位置における前記第２視点カラー画像データの少なくとも第１色成分と第２色成分の画素値および前記第３視点カラー画像データの少なくとも第１色成分と第２色成分の画素値を抽出する第２と第３視点画素値抽出部と、
前記第２視点カラー画像データの新たに求める特定色の画素値を、該第２視点の新たに求める特定色の画素値と前記第１視点画素値抽出部が抽出した前記第１視点カラー画像データの特定色の画素値との間の差が、少なくとも
１）前記第２と第３画素値抽出部が抽出した前記第２の視点カラー画像データの第１色成分の画素値と前記第３視点カラー画像データの第１色成分の画素値との間の差、及び
２）前記第２と第３画素値抽出部が抽出した前記第２の視点カラー画像データの第２色成分の画素値と前記第３視点カラー画像データの第２色成分の画素値との間の差
との和に対して相関を保つように算出する第２視点画素値算出部と
を備える画像処理装置。
【請求項２】
前記第２視点画素値算出部は、前記第２視点カラー画像データの新たに求める特定色の画素値を、該第２視点の新たに求める特定色の画素値と前記第１視点画素値抽出部が抽出した前記第１視点カラー画像データの特定色の画素値との間の差が、少なくとも
１）前記第２と第３画素値抽出部が抽出した前記第２の視点カラー画像データの第１色成分の画素値と前記第３視点カラー画像データの第１色成分の画素値との間の差、及び
２）前記第２と第３画素値抽出部が抽出した前記第２の視点カラー画像データの第２色成分の画素値と前記第３視点カラー画像データの第２色成分の画素値との間の差
との和に比例するように算出することを特徴とする請求項１に記載の画像処理装置。
【請求項３】
被写体像のカラーを構成するn個（n≧２）の色成分の一つである特定色において、前記被写体像を捉える複数の視点の一つである第１視点に対応する第１視点カラー画像データから、対象画素位置における前記第１視点カラー画像データの前記特定色の画素値を抽出する第１視点画素値抽出部と、
前記第１視点とは異なる第２視点および第３視点に対応する第２視点カラー画像データおよび第３視点カラー画像データから、前記対象画素位置における前記第２視点カラー画像データの少なくとも第１色成分と第２色成分の画素値および前記第３視点カラー画像データの少なくとも第１色成分と第２色成分の画素値を抽出する第２と第３視点画素値抽出部と、
前記第２視点カラー画像データの新たに求める特定色の画素値を、該第２視点の新たに求める特定色の画素値と前記第１視点画素値抽出部が抽出した前記第１視点カラー画像データの特定色の画素値との間の比が、少なくとも２つの比
１）前記第２と第３画素値抽出部が抽出した前記第２の視点カラー画像データの第１色成分の画素値と、前記第３視点カラー画像データの第１色成分の画素値によって定義される比、及び
２）前記第２と第３画素値抽出部が抽出した前記第２の視点カラー画像データの第２色成分の画素値と、前記第３視点カラー画像データの第２色成分の画素値によって定義される比
の積に対して相関を保つように算出する第２視点画素値算出部と
を備える画像処理装置。
【請求項４】
前記第２視点画素値算出部は、前記第２視点カラー画像データの新たに求める特定色の画素値を、該第２視点の新たに求める特定色の画素値と前記第１視点画素値抽出部が抽出した前記第１視点カラー画像データの特定色の画素値との間の比が、少なくとも
１）前記第２と第３画素値抽出部が抽出した前記第２の視点カラー画像データの第１色成分の画素値と前記第３視点カラー画像データの第１色成分の画素値との間の比の平方根、及び
２）前記第２と第３画素値抽出部が抽出した前記第２の視点カラー画像データの第２色成分の画素値と前記第３視点カラー画像データの第２色成分の画素値との間の比の平方根
の積に比例するように算出することを特徴とする請求項3に記載の画像処理装置。
【請求項５】
前記第２視点画素値算出部は、前記第２視点カラー画像データの新たに求める特定色の画素値を、該第２視点の新たに求める特定色の画素値と前記第１視点画素値抽出部が抽出した前記第１視点カラー画像データの特定色の画素値との間の比が、少なくとも
１）前記第２と第３画素値抽出部が抽出した前記第２の視点カラー画像データの第１色成分の画素値と、前記第３視点カラー画像データの第１色成分の画素値と前記第２視点カラー画像データの第１色成分の画素値との和との間の比、及び
２）前記第２と第３画素値抽出部が抽出した前記第２の視点カラー画像データの第２色成分の画素値と、前記第３視点カラー画像データの第２色成分の画素値と前記第２視点カラー画像データの第２色成分の画素値との和との間の比
の積に比例するように算出することを特徴とする請求項3に記載の画像処理装置。
【請求項６】
前記第１視点は、前記第２視点と前記第３視点の間の視点であることを特徴とする請求項１、請求項３のいずれかに記載の画像処理装置。
【請求項７】
前記カラー画像データの画素値のそれぞれは、ガンマ変換後の値である請求項１に記載の画像処理装置。
【請求項８】
前記カラー画像データの画素値のそれぞれは、受光量に比例した線形階調の値である請求項３に記載の画像処理装置。
【請求項９】
前記第２視点画素値算出部は、前記n個の色成分の全てに対応する前記第２視点の新たなカラー画像データが揃うように、前記特定色を順次変更して前記新たなカラー画像データを生成する請求項１、請求項３のいずれかに記載の画像処理装置。
【請求項１０】
前記被写体像を撮像する撮像素子と、
請求項１から９のいずれか１項に記載の画像処理装置と
を備える撮像装置であって、
前記第１視点画素値抽出部は、前記撮像素子が出力する前記第１視点に対応する特定色の画素値を有するカラー画像データから前記特定色の画素値を抽出し、
第２と第３視点画素値抽出部は、前記撮像素子が出力する第２視点および第３視点に対応する第１色成分の画素値および第２色成分の画素値を有するカラー画像データから前記第１色成分の画素値および前記第２色成分の画素値を抽出する撮像装置。
【請求項１１】
被写体像のカラーを構成するn個（n≧２）の色成分の一つである特定色において、前記被写体像を捉える複数の視点の一つである第１視点に対応する第１視点カラー画像データから、対象画素位置における前記第１視点カラー画像データの前記特定色の画素値を抽出する第１視点画素値抽出ステップと、
前記第１視点とは異なる第２視点および第３視点に対応する第２視点カラー画像データおよび第３視点カラー画像データから、前記対象画素位置における前記第２視点カラー画像データの少なくとも第１色成分と第２色成分の画素値および前記第３視点カラー画像データの少なくとも第１色成分と第２色成分の画素値を抽出する第２と第３視点画素値抽出ステップと、
前記第２視点カラー画像データの新たに求める特定色の画素値を、該第２視点の新たに求める特定色の画素値と前記第１視点画素値抽出部が抽出した前記第１視点カラー画像データの特定色の画素値との間の差が、少なくとも
１）前記第２と第３画素値抽出部が抽出した前記第２の視点カラー画像データの第１色成分の画素値と前記第３視点カラー画像データの第１色成分の画素値との間の差、及び
２）前記第２と第３画素値抽出部が抽出した前記第２の視点カラー画像データの第２色成分の画素値と前記第３視点カラー画像データの第２色成分の画素値との間の差
との和に対して相関を保つように算出する第２視点画素値算出ステップと
をコンピュータに実行させる画像処理プログラム。
【請求項１２】
被写体像のカラーを構成するn個（n≧２）の色成分の一つである特定色において、前記被写体像を捉える複数の視点の一つである第１視点に対応する第１視点カラー画像データから、対象画素位置における前記第１視点カラー画像データの前記特定色の画素値を抽出する第１視点画素値抽出ステップと、
前記第１視点とは異なる第２視点および第３視点に対応する第２視点カラー画像データおよび第３視点カラー画像データから、前記対象画素位置における前記第２視点カラー画像データの少なくとも第１色成分と第２色成分の画素値および前記第３視点カラー画像データの少なくとも第１色成分と第２色成分の画素値を抽出する第２と第３視点画素値抽出ステップと、
前記第２視点カラー画像データの新たに求める特定色の画素値を、該第２視点の新たに求める特定色の画素値と前記第１視点画素値抽出部が抽出した前記第１視点カラー画像データの特定色の画素値との間の比が、少なくとも２つの比
１）前記第２と第３画素値抽出部が抽出した前記第２の視点カラー画像データの第１色成分の画素値と、前記第３視点カラー画像データの第１色成分の画素値によって定義される比、及び
２）前記第２と第３画素値抽出部が抽出した前記第２の視点カラー画像データの第２色成分の画素値と、前記第３視点カラー画像データの第２色成分の画素値によって定義される比
の積に対して相関を保つように算出する第２視点画素値算出ステップと
をコンピュータに実行させる画像処理プログラム。
【請求項１３】
被写体像のカラーを構成する複数の色成分の一つであるＸ成分色において、前記被写体像を捉える複数の視点の一つである第１視点に対応する１Ｘ画素値を有するカラー画像データから、対象画素位置における前記１Ｘ画素値を抽出し、
前記複数の色成分の一つであるＡ成分色において、前記第１視点とは異なる第２視点および第３視点に対応する２Ａ画素値および３Ａ画素値を有するカラー画像データから、前記対象画素位置における前記２Ａ画素値および前記３Ａ画素値を抽出し、
前記複数の色成分の一つであって前記Ａ成分色とは異なるＢ成分色において、前記第２視点および前記第３視点に対応する２Ｂ画素値および３Ｂ画素値を有するカラー画像データから、前記対象画素位置における前記２Ｂ画素値および前記３Ｂ画素値を抽出する画素値抽出部と、
前記Ｘ成分色に対する前記第２視点の２Ｘ画素値または前記第３視点の３Ｘ画素値と前記１Ｘ画素値との比が、前記２Ａ画素値と前記３Ａ画素値によって定義される比に、前記２Ｂ画素値と前記３Ｂ画素値によって定義される比を乗じた値に対して相関を保つように前記２Ｘ画素値および前記３Ｘ画素値の少なくともいずれかを算出する算出部と
を備える画像処理装置。
【請求項１４】
前記算出部は、前記２Ｘ画素値または前記３Ｘ画素値と、前記１Ｘ画素値との比が、前記２Ａ画素値と前記３Ａ画素値の相乗平均に、前記２Ｂ画素値と前記３Ｂ画素値の相乗平均を乗じた値に対して比例するように前記２Ｘ画素値および前記３Ｘ画素値の少なくともいずれかを算出する請求項１３に記載の画像処理装置。
【請求項１５】
前記算出部は、前記２Ｘ画素値または前記３Ｘ画素値と、前記１Ｘ画素値との比が、前記２Ａ画素値と前記３Ａ画素値の相加平均に、前記２Ｂ画素値と前記３Ｂ画素値の相加平均を乗じた値に対して比例するように前記２Ｘ画素値および前記３Ｘ画素値の少なくともいずれかを算出する請求項１３に記載の画像処理装置。
【請求項１６】
前記対象画素位置を前記カラー画像データにおける画像領域に対して順次移動して、前記画素値抽出部および前記算出部に算出させた複数の画素値を用いて、前記第２視点および前記第３視点の少なくともいずれかに対応する前記Ｘ成分色の前記カラー画像データを生成する画像データ生成部を備える請求項１３から１５のいずれか１項に記載の画像処理装置。
【請求項１７】
前記Ｘ成分色は、前記Ａ成分色と同一である請求項１３から１６のいずれか１項に記載の画像処理装置。
【請求項１８】
前記被写体像を撮像する撮像素子と、
請求項１３から１７のいずれか１項に記載の画像処理装置と
を備える撮像装置であって、
前記画素値抽出部は、前記撮像素子が出力する前記第１視点に対応する１Ｘ画素値を有するカラー画像データから前記１Ｘ画素値を抽出し、前記撮像素子が出力する第２視点および第３視点に対応する２Ａ画素値および３Ａ画素値を有するカラー画像データから前記２Ａ画素値および前記３Ａ画素値を抽出する撮像装置。
【請求項１９】
被写体像のカラーを構成する複数の色成分の一つであるＸ成分色において、前記被写体像を捉える複数の視点の一つである第１視点に対応する１Ｘ画素値を有するカラー画像データから、対象画素位置における前記１Ｘ画素値を抽出し、
前記複数の色成分の一つであるＡ成分色において、前記第１視点とは異なる第２視点および第３視点に対応する２Ａ画素値および３Ａ画素値を有するカラー画像データから、前記対象画素位置における前記２Ａ画素値および前記３Ａ画素値を抽出し、
前記複数の色成分の一つであって前記Ａ成分色とは異なるＢ成分色において、前記第２視点および前記第３視点に対応する２Ｂ画素値および３Ｂ画素値を有するカラー画像データから、前記対象画素位置における前記２Ｂ画素値および前記３Ｂ画素値を抽出する画素値抽出部と、
前記Ｘ成分色、前記Ａ成分色および前記Ｂ成分色の組み合わせで表現される色空間からＹＣｂＣｒ空間に変換する変換部と、
前記第２視点の輝度値Ｙまたは前記第３視点の輝度値Ｙと、前記第１視点の輝度値Ｙとの差が、前記第２視点の色差Ｃｂと前記第３視点の色差Ｃｂとの差に、前記第２視点の色差Ｃｒと前記第３視点の色差Ｃｒとの差を加えた値に対して相関を保つように前記第２視点の輝度値Ｙまたは前記第３視点の輝度値Ｙの少なくともいずれかを算出する算出部と
を備える画像処理装置。